(57)【要約】【課題】ＩＣタグ付きの商品を効率的に管理できるようにした回転式の商品陳列装置を提供すること。【解決手段】基台１０と、基台１０に立設した樹脂製の枠材からなる支持枠２０と、支持枠２０に対してその囲いの中で回転可能な状態に取り付けられた非金属製の回転支持部材３０と、回転支持部材３０にある複数の取付部位にそれぞれ着脱自在に取り付けられる複数の非金属製の陳列用部材４０とを備え、各陳列用部材４０にはそれぞれＩＣタグＴ’が取り付けられており、支持枠２０には囲いを周回する状態でタグリーダーのアンテナ２４が内蔵されている。回転支持部材３０を支持枠２０内で回転させることにより、商品に付いたＩＣタグのアンテナとタグリーダーのアンテナ２４相互の向きが変化するため、陳列用部材４０に載っている全ての商品のＩＣタグの読取率を向上させることができ、しかも陳列用部材４０の情報も読み取ることができる。【選択図】図１
2007296269.tif 000002
【特許請求の範囲】
【請求項１】
ＩＣタグが付いた商品を陳列する商品陳列装置であって、基台と、基台に立設した樹脂製の枠材からなる支持枠と、支持枠に対してその囲いの中で回転可能な状態に取り付けられた非金属製の回転支持部材と、回転支持部材にある複数の取付部位にそれぞれ着脱自在に取り付けられる複数の非金属製の陳列用部材とを備え、各陳列用部材にはそれぞれＩＣタグが取り付けられており、支持枠には囲いを周回する状態でタグリーダーのアンテナが内蔵されていることを特徴とする商品陳列装置。
【請求項２】
支持枠として上下方向に複数段の囲いを有する枠材が用いられ、その支持枠における各段の囲いの中にそれぞれ回転支持部材が取り付けられており、それぞれの囲いを周回する状態でタグリーダーのアンテナが内蔵されていることを特徴とする請求項１に記載の商品陳列装置。
【請求項３】
支持枠として上下方向の２つの枠材がクロスした形状のものが用いられ、それぞれの枠材にタグリーダーのアンテナが内蔵されていることを特徴とする請求項１又は２に記載の商品陳列装置。
【請求項４】
回転支持部材として、２枚の板材がクロスした形状のものが用いられていることを特徴とする請求項１〜３のいずれかに記載の商品陳列装置。
【請求項５】
基台に装置全体を移動可能とするための手段を設けたことを特徴とする請求項１〜４のいずれかに記載の商品陳列装置。
【発明の詳細な説明】
【技術分野】
【０００１】
本発明は、店頭において、書籍類、ディスク類、雑貨類を始めとする各種の商品を陳列するために用いられる回転式の商品陳列装置に関するものである。
【背景技術】
【０００２】
従来より、書店やコンビニエンスストアなどの店頭において、各種の書籍類、パッケージに入れたビデオディスクやコンパクトディスクのようなディスク類、箱入りの高級下着などの雑貨類を始めとする各種の商品を陳列するために、上下方向に長い回転式の商品陳列装置が広く利用されている。通常、このタイプの商品陳列装置は、移動可能な基台に立設した支柱を中心に回転する陳列部を有しており、その陳列部に商品を立てた状態で並べるように構成されている。そして、消費者は、陳列部を回転させながら所望の商品を選んで購入することができるようになっている。
【特許文献１】登録実用新案第３１１２５２６号公報
【特許文献２】特開２００３−５２５０１号公報
【発明の開示】
【発明が解決しようとする課題】
【０００３】
上記した回転式の商品陳列装置は、店頭における少しのスペースを利用して設置することができ、しかも多くの商品を陳列することができる。また、移動可能であるため目立つところに設置できるので、販売促進の効果が大きいという利点もある。しかしながら、商品が売れて空きができても、その空きスペースが裏側だと見えにくいため、補充を忘れるということがある。
【０００４】
一方、最近では、棚上に置かれた商品を管理する手段として、ＩＣタグを利用した方法が知られている。すなわち、商品毎にＩＣタグを取り付けておき、棚に並んだ商品に手で持ったタグリーダーを近づけて順になぞり、商品毎のＩＣタグを読み取ることにより管理することが行われるようになってきている。ところが、平面的な通常の棚の場合は並んでいる商品をタグリーダーでなぞるのは比較的簡単であるが、上記したような回転式の商品陳列装置では、商品が平坦に並んでいないため、タグリーダーでなぞるのは簡単ではなく、余計な手間がかかってしまう。
【０００５】
本発明は、上記のような問題点に鑑みてなされたものであり、その目的とするところは、ＩＣタグ付きの商品を効率的に管理できるようにした回転式の商品陳列装置を提供することにある。
【課題を解決するための手段】
【０００６】
請求項１に記載の発明である商品陳列装置は、ＩＣタグが付いた商品を陳列する商品陳列装置であって、基台と、基台に立設した樹脂製の枠材からなる支持枠と、支持枠に対してその囲いの中で回転可能な状態に取り付けられた非金属製の回転支持部材と、回転支持部材にある複数の取付部位にそれぞれ着脱自在に取り付けられる複数の非金属製の陳列用部材とを備え、各陳列用部材にはそれぞれＩＣタグが取り付けられており、支持枠には囲いを周回する状態でタグリーダーのアンテナが内蔵されていることを特徴としている。
【０００７】
請求項２に記載の発明である商品陳列装置は、請求項１に記載の商品陳列装置において、支持枠として上下方向に複数段の囲いを有する枠材が用いられ、その支持枠における各段の囲いの中にそれぞれ回転支持部材が取り付けられており、それぞれの囲いを周回する状態でタグリーダーのアンテナが内蔵されていることを特徴としている。
【０００８】
請求項３に記載の発明である商品陳列装置は、請求項１又は２に記載の商品陳列装置において、支持枠として上下方向の２つの枠材がクロスした形状のものが用いられていることを特徴としている。
【０００９】
請求項４に記載の発明である商品陳列装置は、請求項１〜３のいずれに記載の商品陳列装置において、回転支持部材として、２枚の板材がクロスした形状のものが用いられていることを特徴としている。
【００１０】
請求項５に記載の発明である商品陳列装置は、請求項１〜４のいずれに記載の商品陳列装置において、基台に装置全体を移動可能とするための手段を設けたことを特徴としている。
【発明の効果】
【００１１】
請求項１に記載の発明である商品陳列装置は、回転支持部材を支持枠内で回転させることにより、商品に付いたＩＣタグのアンテナとタグリーダーのアンテナ相互の向きが変化するため、陳列用部材に載っている全ての商品のＩＣタグの読取率を向上させることができ、しかも陳列用部材にＩＣタグが付いているので、陳列用部材の情報も読み取ることができることから、手で持ったタグリーダーで商品をなぞって情報を読み取るようなことをしなくても、陳列用部材ごとの商品管理を効率良く行うことができる。
【００１２】
請求項２に記載の発明である商品陳列装置は、複数段あるそれぞれの囲いの中を回転支持部材が個別に回転し、その囲いを周回してタグリーダーのアンテナが内蔵されているので、上記効果に加えて、商品の情報と陳列用部材の情報をより確実に読み取ることができるという効果を奏する。また、複数段の囲いの中で回転支持部材を個別に回転できるので、陳列用部材の取付け取外しや商品の出し入れの作業が簡単となり、消費者にとっては目的とする商品を選択しやすくなる。
【００１３】
請求項３に記載の発明である商品陳列装置は、クロスした枠材のそれぞれにタグリーダーのアンテナが内蔵されているので、上記効果に加えて、商品の情報と陳列用部材の情報をより確実に読み取ることができるという効果を奏する。
【００１４】
請求項４に記載の発明である商品陳列装置は、クロスした板材のそれぞれに陳列用部材を取り付けられるので、上記効果に加えて、商品の陳列スペースが増大するという効果を奏する。
【００１５】
請求項５に記載の発明である商品陳列装置は、基台に装置全体を移動可能とするための手段を設けたので，上記効果に加えて、簡単に任意の場所に移動して設置できるという効果を奏する。
【発明を実施するための最良の形態】
【００１６】
以下、具体例を挙げて本発明の実施の形態について説明する。
【００１７】
図１は本発明に係る商品陳列装置の一例を示す斜視図である。
【００１８】
この商品陳列装置Ａは、ＩＣタグが付いた商品を陳列するためのものである。このような商品としては、例えば、図２に示すような書籍１、図３に示すような樹脂ケースに入ったビデオディスク２、図４に示すような箱入り商品３が挙げられる。図２の書籍１は表紙の背の部分にＩＣタグＴを装着してあり、図３のビデオディスク２は樹脂ケースの背の部分にＩＣタグＴを装着してあり、図４の箱入り商品３は箱の横側にＩＣタグＴを装着している。なお、本発明の商品陳列装置に並べる商品の種類はこれらに限定されるものではない。
【００１９】
商品陳列装置Ａは、基台１０と、基台１０に立設した背の高い支持枠２０と、支持枠２０に対してその囲いの中で回転可能な状態に取り付けられた回転支持部材３０と、回転支持部材３０にある複数の取付部位にそれぞれ着脱自在に取り付けられる複数の陳列用部材４０とを備えており、この商品陳列装置Ａでは、陳列用部材４０にＩＣタグ付きの書籍１が並べられている。
【００２０】
基台１０は、スチール製のパイプ角材を「田」の字状に加工した部材からなり、図示の如くこの基台１０の裏側には、装置全体を移動可能とするための手段として複数個のキャスター１１が取り付けられている。
【００２１】
支持枠２０は、図５に取外し状態で示すように、上下方向に４段の囲いを有する２つの枠材２１が直角にクロスした形状をしている。この支持枠２１は樹脂製であり、５本の歯を設けた櫛状部材２２を４つ用い、図示の如くこの４つの櫛状部材２２を５つの十字状の継ぎ手２３で接続したものである。そして、この支持枠２０には、図の点線で示すように、それぞれの囲いを周回する状態でタグリーダーのアンテナ２４が内蔵されている。すなわち、対向する２つの櫛状部材２２における歯の部分に渡ってループ状のアンテナ２４が設けられており、図示の如くこのループ状のアンテナ２４が各段で直交状態となり、その直交状態のアンテナ２４が上下に４組配置されている。
【００２２】
回転支持部材３０は、上下方向の２枚の板材が直角にクロスした形状をしており、中心から延びる４つの板部にはそれぞれ取付孔３１が設けられている。この回転支持部材３０の素材は非金属であればよく、例えば化粧合板が好適に用いられる。
【００２３】
陳列用部材４０は、ボックス状で、背面にフック４１が設けられており、このフック４１を回転支持部材３０の取付孔３１に引っ掛けることで、陳列用部材４０を任意の回転支持部材３０の取付部位に着脱自在に取り付けることができる。この着脱用部材４０の素材は非金属であればよく、通常はポリプロピレン等の樹脂製のものが用いられる。そして、この陳列用部材４０には所定の場所にＩＣタグＴ’が取り付けられている。
【００２４】
商品に取り付けるＩＣタグＴは、周知のＲＦＩＤ（無線による自動認識技術）タグであって、主にＩＣチップで構成される記憶部と、通信部及びアンテナからなっており、記憶部はリードライトが可能になっている。中でも、インレット型と呼ばれる小型のものが好適である。このインレット型のＩＣタグは、０．０１〜０．５ｍｍ角の小さなＩＣチップを用い、これに長さ５０〜６０ｍｍの外部アンテナを装着して幅が約１ｍｍのテープ状としたものであり、ＩＣチップはＰＥＴフィルム等の絶縁性のベースフィルム上に載置接合され、外部アンテナはそのベースフィルム上に印刷により形成される。
【００２５】
陳列用部材４０に取り付けるＩＣタグＴ’は、上記したインレット型でもよいが、サイズがそれ程小さくなくてもよいので、通常のＩＣタグを用いてもよい。
【００２６】
一方、タグリーダーは、それ自身のアンテナ２４とＩＣタグＴ，Ｔ’のアンテナとの間で電波の送受信を行う周知のもので、非接触で各種商品の情報が同時に読取り可能になっている。そして、タグリーダーのアンテナ２４には読取り部としてのリーダー回路が接続され、リーダー回路には管理端末としてのパソコンが接続されている。
【００２７】
この商品陳列装置Ａにおける商品の管理方法は次のようである。まず、商品陳列装置Ａに接続されたパソコンに、複数個ある陳列用部材４０の用途や収納力などの情報を入力するとともに、それらの陳列用部材４０に並べられる書籍１の種類などの情報を予め入力しておく。そして、商品の確認をする時間になったら、陳列用部材４０のＩＣタグＴ’に書き込まれた情報を読み取るとともに、各書籍１のＩＣタグＴに書き込まれた物品情報を読み取るようにする。この場合、回転用支持部材３０を回転させることにより、陳列用部材４０のＩＣタグＴ’のアンテナとそれに載っている書籍１のＩＣタグＴのアンテナは、タグリーダーのアンテナ２４に対してその向きが色々と変化するため、陳列用部材４０のＩＣタグＴ’とそれに載っている全ての書籍１のＩＣタグＴの読取率が向上する。
【００２８】
そして、タグリーダーのアンテナ２４により検出された情報の信号はリーダー回路に入力され、リーダー回路からパソコンへと送られる。パソコンでは、入力された信号により、それぞれの陳列用部材４０にどの書籍がいくつ存在するかを自動的に確認することができる。したがって、手で持ったタグリーダーで書籍をなぞって情報を読み取るようなことをしなくても、陳列用部材４０ごとに商品管理を効率良く行うことができる。そしてこの情報をもとに欠品となった書籍を自動発注することもできる。
【００２９】
以上、具体例を挙げて本発明を説明したが、本発明による商品陳列装置は、上記の例に何ら限定されるものではなく、本発明の趣旨を逸脱しない範囲において種々の変更が可能であることは当然のことである。
【００３０】
例えば、上記の例では回転用支持部材３０を手で回すようにしたが、モーターで回転させるようにしてもよい。この場合、一日の決まった時間に回転させるようにすれば、在庫管理を自動的に行わせることもできる。
【００３１】
また、上記の例では、支持枠２０として、上下方向に４つの囲いをもつ枠材２１を使用したが、支持枠における囲いの数は任意であり、商品の種類や展示スペースなどの状況を考慮して設計すればよい。また、支持枠２０として上下方向の２つの枠材２１がクロスした形状のものを用いたが、１つの枠材で構成したものであってもよい。
【００３２】
また、上記の例では、回転支持部材３０として、上下方向の２枚の板材がクロスした形状のものを用いたが、一枚の板材で構成したものであってもよい。
【００３３】
また、上記の例では、支持枠２０におけるそれぞれの囲いを周回する状態でタグリーダーのアンテナ２４を設けたが、複数の囲いをまとめて一つのアンテナを周回させるようにしてもよい。
【図面の簡単な説明】
【００３４】
【図１】本発明に係る商品陳列装置の一例を示す斜視図である。
【図２】ＩＣタグ付き商品の一例としての書籍を示す斜視図である。
【図３】ＩＣタグ付き商品の一例としてのビデオディスクを示す斜視図である。
【図４】ＩＣタグ付き商品の一例としての箱入り商品を示す斜視図である。
【図５】図１の商品陳列装置で用いた支持枠を取外し状態で示す斜視図である。
【符号の説明】
【００３５】
Ａ  商品陳列装置
Ｔ，Ｔ’  ＩＣタグ
１  書籍
２  ビデオディスク
３  箱入り商品
１０  基台
１１  キャスター
２０  支持枠
２１  枠材
２２  櫛状部材
２３  継ぎ手
２４  アンテナ
３０  回転支持部材
３１  取付孔
４０  陳列用部材
４１  フック
【図１】
2007296269.tif 000003
【図２】
2007296269.tif 000004
【図３】
2007296269.tif 000005
【図４】
2007296269.tif 000006
【図５】
2007296269.tif 000007